(57)【要約】【課題】原稿サイズの不整合が生じて使用者から処理継続の指示があった場合に、原稿の位置に応じて適切に処理を継続できるようにする。【解決手段】画像読取装置の構成として、原稿トレイ１１に置かれた原稿を、第１搬送路３１上のレジ位置と読取位置とを順に経由するように搬送する搬送部３７と、その原稿の画像を読取位置で読み取る読取部７０と、原稿トレイ１１に置かれた原稿を搬送するにあって、搬送開始前に検知した原稿サイズと搬送中に検知した原稿サイズとに不整合が発生した場合に、現在進行中の一連の処理を継続するか否かの指示を受け付ける受付部と、上記不整合の発生時刻が、搬送中の原稿の先端が基準位置を通過する通過時刻よりも前であるか否かによって、受付部で一連の処理を継続する旨の指示を受け付けた際の各部の動作を変更するように制御する制御部９０とを備える。【選択図】図４
2011071592.tif 000002
【特許請求の範囲】
【請求項１】
原稿が置かれる原稿置き部と、
前記原稿置き部に置かれた原稿を、原稿搬送路の途中に設定された基準位置と当該基準位置よりも原稿搬送方向の下流側に設定された読取位置とを経由するように搬送する搬送部と、
前記搬送部によって搬送される原稿の画像を前記読取位置で読み取る読取部と、
前記原稿置き部に置かれた原稿を前記搬送部で搬送するにあたって、搬送開始前に検知した原稿の寸法と搬送中に検知した原稿の寸法とに不整合が発生した場合に、現在進行中の一連の処理を継続するか否かの指示を受け付ける受付部と、
前記搬送部、前記読取部および前記受付部を含む各部の動作を制御する制御手段と
を備え、
前記制御手段は、前記不整合の発生時刻が、前記搬送中の原稿の先端が前記基準位置を通過する通過時刻よりも前であるか否かによって、前記受付部で一連の処理を継続する旨の指示を受け付けた際の各部の動作を変更するように制御する
画像読取装置。
【請求項２】
前記制御手段は、前記不整合の発生時刻が前記通過時刻よりも前である場合は、前記基準位置よりも原稿搬送方向の上流側に原稿を停止させ、その状態で前記一連の処理を継続する旨の指示を受け付けた後、前記原稿の搬送を再開して当該原稿の画像を読み取るように、各部の動作を制御する
請求項１記載の画像読取装置。
【請求項３】
前記制御手段は、前記不整合の発生時刻が前記通過時刻よりも前でない場合は、原稿の搬送を継続して当該原稿の画像を読み取った後、前記原稿の搬送を停止し、その状態で前記一連の処理を継続する旨の指示を受け付けた後、前記原稿の搬送を再開するように、各部の動作を制御する
請求項１又は２記載の画像読取装置。
【請求項４】
前記制御手段は、前記不整合の発生時刻が前記通過時刻よりも前でない場合は、原稿の画像の読み取りを中止して当該原稿の搬送を停止し、その状態で前記一連の処理を継続する旨の指示を受け付けた後、原稿の被読み取り面を元に戻すための反転搬送および原稿を前記基準位置に再び送り込むための再搬送を行なって、前記原稿の画像を読み取るように、各部の動作を制御する
請求項１又は２記載の画像読取装置。
【請求項５】
画面を表示する表示部を備え、
前記制御手段は、前記不整合の発生時刻が前記通過時刻よりも前でない場合は、原稿の画像の読み取りを中止して当該原稿の搬送を停止し、その状態で前記一連の処理を継続する旨の指示を受け付けた後、原稿の搬送を再開して当該原稿を一旦排出するとともに、前記一連の処理を継続するための案内画面を前記表示部に表示し、その後、前記案内画面の表示内容に基づく操作が行なわれた場合に、原稿の搬送を開始して当該原稿の画像を読み取るように、各部の動作を制御する
請求項１又は２記載の画像読取装置。
【請求項６】
原稿を搬送する原稿搬送装置と、
前記原稿搬送装置によって搬送された原稿の画像を読み取る画像読取装置と、
前記画像読取装置によって読み取られた原稿の画像を記録媒体に記録する画像記録装置とを備え、
前記原稿搬送装置は、
原稿が置かれる原稿置き部と、
前記原稿置き部に置かれた原稿を、原稿搬送路の途中に設定された基準位置と当該基準位置よりも原稿搬送方向の下流側に設定された読取位置とを経由するように搬送する搬送部と、
前記搬送部によって搬送される原稿の画像を前記読取位置で読み取る読取部と、
前記原稿置き部に置かれた原稿を前記搬送部で搬送するにあたって、搬送開始前に検知した原稿の寸法と搬送中に検知した原稿の寸法とに不整合が発生した場合に、現在進行中の一連の処理を継続するか否かの指示を受け付ける受付部と、
前記搬送部、前記読取部および前記受付部を含む各部の動作を制御する制御手段と
を備え、
前記制御手段は、前記不整合の発生時刻が、前記搬送中の原稿の先端が前記基準位置を通過する通過時刻よりも前であるか否かによって、前記受付部で一連の処理を継続する旨の指示を受け付けた際の各部の動作を変更するように制御する
画像形成装置。
【発明の詳細な説明】
【技術分野】
【０００１】
本発明は、画像読取装置および画像形成装置に関する。
【背景技術】
【０００２】
特許文献１には、サイズの異なる原稿を同時に載置することのできる原稿トレイと、原稿トレイに載置されるサイズの異なる原稿を位置決めする第１のガイドおよび第２のガイドと、第１のガイドの位置を基準として同時に載置された原稿のサイズを検知するセンサとを有する原稿送り装置が開示されている。
【０００３】
特許文献２には、画像形成すべき画像情報のサイズおよび向きと、当該画像情報を形成すべく選択されたシートとの間に不整合が生じた場合に、その旨を通知する通知手段と、この通知手段によって不整合が生じている旨を表示した場合に、そのまま画像形成を続行するか否かを選択する選択手段と、この選択手段によって画像形成の続行が選択された場合に、画像形成動作を実行するように制御する制御手段とを備える画像形成装置が開示されている。
【０００４】
引用文献３には、自動倍率選択機能又は自動用紙サイズ選択機能が選択された場合に、この選択された機能と原稿サイズおよび用紙サイズとの整合性を判断する判断手段と、この判断手段によって不整合があると判断された場合に、その旨を表示して注意を促す表示手段とを有する画像形成装置が開示されている。
【先行技術文献】
【特許文献】
【０００５】
【特許文献１】特開２００４−４８２８２号公報
【特許文献２】特開平１０−２２２０１９号公報
【特許文献３】特開平１０−３０１４４９号公報
【発明の概要】
【発明が解決しようとする課題】
【０００６】
本発明の課題は、原稿を搬送するにあたって、搬送開始前に検知した原稿の寸法と搬送中に検知した原稿の寸法とに不整合が生じた場合に、使用者から「処理継続」の指示を受けて、その後の処理を、原稿搬送路上での原稿の位置に応じて適切に継続することができる仕組みを提供することにある。
【課題を解決するための手段】
【０００７】
請求項１に記載の発明は、
原稿が置かれる原稿置き部と、
前記原稿置き部に置かれた原稿を、原稿搬送路の途中に設定された基準位置と当該基準位置よりも原稿搬送方向の下流側に設定された読取位置とを経由するように搬送する搬送部と、
前記搬送部によって搬送される原稿の画像を前記読取位置で読み取る読取部と、
前記原稿置き部に置かれた原稿を前記搬送部で搬送するにあたって、搬送開始前に検知した原稿の寸法と搬送中に検知した原稿の寸法とに不整合が発生した場合に、現在進行中の一連の処理を継続するか否かの指示を受け付ける受付部と、
前記搬送部、前記読取部および前記受付部を含む各部の動作を制御する制御手段と
を備え、
前記制御手段は、前記不整合の発生時刻が、前記搬送中の原稿の先端が前記基準位置を通過する通過時刻よりも前であるか否かによって、前記受付部で一連の処理を継続する旨の指示を受け付けた際の各部の動作を変更するように制御する
画像読取装置
に係るものである。
【０００８】
請求項２に記載の発明は、
前記制御手段は、前記不整合の発生時刻が前記通過時刻よりも前である場合は、前記基準位置よりも原稿搬送方向の上流側に原稿を停止させ、その状態で前記一連の処理を継続する旨の指示を受け付けた後、前記原稿の搬送を再開して当該原稿の画像を読み取るように、各部の動作を制御する
請求項１記載の画像読取装置
に係るものである。
【０００９】
請求項３に記載の発明は、
前記制御手段は、前記不整合の発生時刻が前記通過時刻よりも前でない場合は、原稿の搬送を継続して当該原稿の画像を読み取った後、前記原稿の搬送を停止し、その状態で前記一連の処理を継続する旨の指示を受け付けた後、前記原稿の搬送を再開するように、各部の動作を制御する
請求項１又は２記載の画像読取装置
に係るものである。
【００１０】
請求項４に記載の発明は、
前記制御手段は、前記不整合の発生時刻が前記通過時刻よりも前でない場合は、原稿の画像の読み取りを中止して当該原稿の搬送を停止し、その状態で前記一連の処理を継続する旨の指示を受け付けた後、原稿の被読み取り面を元に戻すための反転搬送および原稿を前記基準位置に再び送り込むための再搬送を行なって、前記原稿の画像を読み取るように、各部の動作を制御する
請求項１又は２記載の画像読取装置
に係るものである。
【００１１】
請求項５に記載の発明は、
画面を表示する表示部を備え、
前記制御手段は、前記不整合の発生時刻が前記通過時刻よりも前でない場合は、原稿の画像の読み取りを中止して当該原稿の搬送を停止し、その状態で前記一連の処理を継続する旨の指示を受け付けた後、原稿の搬送を再開して当該原稿を一旦排出するとともに、前記一連の処理を継続するための案内画面を前記表示部に表示し、その後、前記案内画面の表示内容に基づく操作が行なわれた場合に、原稿の搬送を開始して当該原稿の画像を読み取るように、各部の動作を制御する
請求項１又は２記載の画像読取装置
に係るものである。
【００１２】
請求項６に記載の発明は、
原稿を搬送する原稿搬送装置と、
前記原稿搬送装置によって搬送された原稿の画像を読み取る画像読取装置と、
前記画像読取装置によって読み取られた原稿の画像を記録媒体に記録する画像記録装置とを備え、
前記原稿搬送装置は、
原稿が置かれる原稿置き部と、
前記原稿置き部に置かれた原稿を、原稿搬送路の途中に設定された基準位置と当該基準位置よりも原稿搬送方向の下流側に設定された読取位置とを経由するように搬送する搬送部と、
前記搬送部によって搬送される原稿の画像を前記読取位置で読み取る読取部と、
前記原稿置き部に置かれた原稿を前記搬送部で搬送するにあたって、搬送開始前に検知した原稿の寸法と搬送中に検知した原稿の寸法とに不整合が発生した場合に、現在進行中の一連の処理を継続するか否かの指示を受け付ける受付部と、
前記搬送部、前記読取部および前記受付部を含む各部の動作を制御する制御手段と
を備え、
前記制御手段は、前記不整合の発生時刻が、前記搬送中の原稿の先端が前記基準位置を通過する通過時刻よりも前であるか否かによって、前記受付部で一連の処理を継続する旨の指示を受け付けた際の各部の動作を変更するように制御する
画像形成装置
に係るものである。
【発明の効果】
【００１３】
請求項１に記載の発明によれば、原稿を搬送するにあたって、搬送開始前に検知した原稿の寸法と搬送中に検知した原稿の寸法とに不整合が生じた場合に、使用者から「処理継続」の指示を受けて、その後の処理を、原稿搬送路上での原稿の位置に応じて適切に継続することが可能な画像読取装置を提供することができる。
【００１４】
請求項２に記載の発明によれば、搬送開始前に検知した原稿の寸法と搬送中に検知した原稿の寸法とに不整合が発生した場合に、原稿の搬送を再開して読み取った原稿の画像情報を活用して一連の処理を継続することができる。
【００１５】
請求項３に記載の発明によれば、搬送開始前に検知した原稿の寸法と搬送中に検知した原稿の寸法とに不整合が発生した場合に、原稿の搬送を停止する前に読み取った原稿の画像情報を活用して一連の処理を継続することができる。
【００１６】
請求項４に記載の発明によれば、搬送開始前に検知した原稿の寸法と搬送中に検知した原稿の寸法とに不整合が発生した場合に、画像の読み取りを中止して原稿の搬送を停止した際にも、その原稿の画像を読み取り直して一連の処理を継続することができる。
【００１７】
請求項５に記載の発明によれば、搬送開始前に検知した原稿の寸法と搬送中に検知した原稿の寸法とに不整合が発生した場合に、画像の読み取りを中止して原稿の搬送を停止し、かつ当該原稿を排出した際にも、その原稿の画像を読み取り直して一連の処理を継続することができる。
【００１８】
請求項６に記載の発明によれば、原稿を搬送するにあたって、搬送開始前に検知した原稿の寸法と搬送中に検知した原稿の寸法とに不整合が生じた場合に、使用者から「処理継続」の指示を受けて、その後の処理を、原稿搬送路上での原稿の位置に応じて適切に継続することが可能な画像読取装置を備える画像形成装置を提供することができる。
【図面の簡単な説明】
【００１９】
【図１】本発明の実施の形態に係る画像形成装置の構成を示す概略図である。
【図２】本発明の実施の形態に係る画像読取装置の構成の一部を示す平面図である。
【図３】本発明の実施の形態に係る画像読取装置の構成の一部を示す斜視図である。
【図４】本発明の実施の形態に係る画像読取装置の全体構成を示す概略図である。
【図５】本発明の実施の形態に係る画像形成装置の外観を示す斜視図である。
【図６】本発明の実施の形態に係る画像読取装置の処理手順の第１例を示すフローチャートである。
【図７】本発明の実施の形態に係る画像読取装置の処理手順の第１例を示すフローチャートである。
【図８】本発明の実施の形態に係る画像読取装置の処理手順の第１例を示すフローチャートである。
【図９】確認画面の表示例を示す図である。
【図１０】忠告画面の表示例を示す図である。
【図１１】確認画面の表示例を示す図である。
【図１２】忠告画面の表示例を示す図である。
【図１３】本発明の実施の形態に係る画像読取装置の処理手順の第２例を示すフローチャートである。
【図１４】本発明の実施の形態に係る画像読取装置の処理手順の第３例を示すフローチャートである。
【図１５】確認画面の表示例を示す図である。
【図１６】案内画面の表示例を示す図である。
【発明を実施するための形態】
【００２０】
以下、本発明の具体的な実施の形態について図面を参照しつつ詳細に説明する。なお、本発明の技術的範囲は以下に記述する実施の形態に限定されるものではなく、発明の構成要件やその組み合わせによって得られる特定の効果を導き出せる範囲において、種々の変更や改良を加えた形態も含む。
【００２１】
＜用語の定義＞
本発明の実施の形態においては、以下のように用語を定義したうえで、具体的な内容を説明する。
【００２２】
「原稿のサイズ（寸法）」は、「原稿幅」と「原稿長」によって規定されるものとする。「原稿幅」とは、原稿の画像を主走査方向と副走査方向に読み取り走査する場合の、「主走査方向」の原稿サイズをいい、「原稿長」とは「副走査方向」の原稿サイズをいう。また、原稿の搬送方向で規定すると、「原稿幅」とは、原稿の搬送方向と直交する方向の原稿サイズをいい、「原稿長」とは、原稿の搬送方向の原稿サイズをいう。このため、「原稿幅方向」は、原稿の搬送方向と直交する方向に相当し、「原稿長方向」は、原稿の搬送方向に相当するものとなる。
【００２３】
「主走査方向」とは、キャリッジ等の走査体に搭載された光学系（ランプ、ミラー等）を用いて原稿の画像を読み取るときに、原稿と走査体が相対的に移動する方向に対して垂直な方向をいう。「副走査方向」とは、走査体に搭載された光学系を用いて原稿の画像を読み取るときに、原稿と走査体が相対的に移動する方向をいう。このため、「主走査方向」は、「副走査方向」に直交する方向となる。また、「主走査方向」は、原稿の搬送方向と直交する方向（原稿幅方向）に相当し、「副走査方向」は、原稿の搬送方向（原稿長方向）に相当するものとなる。
【００２４】
「原稿の先端」とは、原稿の搬送方向の下流側を向いて配置される原稿端をいい、「原稿の後端」とは、原稿の搬送方向の上流側を向いて配置される原稿端をいう。「原稿の側端」とは、原稿の搬送方向と直交する方向の原稿端をいう。
【００２５】
＜本発明の実施の形態に係る画像形成装置の構成＞
図１は本発明の実施の形態に係る画像形成装置の構成を示す概略図である。画像形成装置１００は、大きくは、画像記録装置１１０と、画像読取装置１０とを備えている。
【００２６】
画像読取装置１０は、画像形成装置１００の上部に配置されている。画像記録装置１１０は、画像形成装置１００の下部に配置されている。
【００２７】
画像読取装置１０は、原稿の画像を光学的に読み取るとともに、その読み取った画像を画像信号に変換する。画像記録装置１１０は、画像読取装置１０が変換した画像信号に基づいて、用紙等の記録媒体Ｐに画像を記録する。
【００２８】
ここで、本実施の形態に係る画像記録装置１１０の構成について説明する。
【００２９】
本実施の形態に係る画像記録装置１１０は、図１に示すように、その下部に複数の記録媒体収容部１２０、１２１を備えている。
【００３０】
記録媒体収容部１２０、１２１には、それぞれ、サイズの異なる記録媒体Ｐが収容されている。例えば、記録媒体収容部１２０には、Ｂ５サイズの記録媒体Ｐが収容され、記録媒体収容部１２１には、Ｂ４サイズの記録媒体Ｐが収容される。
【００３１】
記録媒体収容部１２０、１２１の先端側（図１において右端側）の直上には、記録媒体Ｐの上面の先端側に接触して回転し、記録媒体収容部１２０、１２１から記録媒体Ｐを送り出す送り出しロール１２６が配置されている。
【００３２】
画像記録装置１１０内には、記録媒体収容部１２０、１２１の先端部から延出して、Ｓ字状に湾曲し、画像記録装置１１０の上部へ向かって延びる搬送路１２２が形成されている。
【００３３】
この搬送路１２２に沿って、記録媒体の搬送方向の上流側から順に、複数（例えば、６つ）の搬送ロール対１６４と、レジストロール１６８とが配置されている。各々の搬送ロール対１６４およびレジストロール１６８は、それぞれ、記録媒体Ｐを挟持した状態で搬送する。
【００３４】
記録媒体収容部１２１の上方には、記録媒体Ｐに画像を記録する画像記録部１３０が配置されている。画像記録部１３０は、記録方式の一例として、電子写真方式に基づいて記録媒体Ｐに画像を形成（印刷出力）する構成となっている。
【００３５】
記録媒体収容部１２０、１２１に収容された記録媒体Ｐは、送り出しロール１２６により送り出され、各搬送ロール対１６４およびレジストロール１６８によって搬送路１２２を搬送されて画像記録部１３０へ送られる。
【００３６】
画像記録部１３０は、記録媒体収容部１２０、１２１から送られてきた記録媒体Ｐに、例えば、シアン、マゼンタ、イエローおよびブラックの各色のトナーを用いてカラー画像を形成する。ちなみに、画像記録部１３０は、カラー画像を形成する以外にも、ブラックのトナーを用いて白黒画像を形成する場合もある。
【００３７】
画像記録部１３０には、４つの感光体ドラム１１２が並んで回転可能に設けられている。各感光体ドラム１１２は、図示しない駆動部により、矢印Ｋの方向に回転する。
【００３８】
各感光体ドラム１１２の左斜め下部には、帯電ロール１１４が感光体ドラム１１２に接触するように配置されている。帯電ロール１１４は、感光体ドラム１１２の表面を所定の電位に帯電する。
【００３９】
帯電後、各感光体ドラム１１２の下方に配置された各露光ヘッド１１６から出射された光によって露光が行われ、画像読取装置１０が変換した画像信号に応じた潜像が感光体ドラム１１２の表面に形成される。
【００４０】
各色の現像器１１８の現像ロール１１９には、所定の極性に帯電した各色のトナーが保持されている。各感光体ドラム１１２の表面に形成された潜像は、現像ロール１１９に現像バイアスを印加することで現像され各色のトナー像となる。
【００４１】
４個の各感光体ドラム１１２にそれぞれ形成された各色のトナー像は、各感光体ドラム１１２の上方に配置された中間転写ベルト１１３上に第１転写ロール１１５で転写され、中間転写ベルト１１３上に重畳されてフルカラーのトナー像となる。
【００４２】
記録媒体収容部１２０、１２１から送り出されると共に搬送ロール対１６４で搬送された記録媒体Ｐは、レジストロール１６８により所定のタイミングで第２転写ロール１３２と中間転写ロール１３４との間に送られ、フルカラーのトナー像が記録媒体Ｐに転写される。このとき、トナー像は中間転写ロール１３４側の記録媒体Ｐの面に転写される。
【００４３】
フルカラーのトナー像が転写された記録媒体Ｐは、定着器１３６に送られる。定着器１３６は熱と圧力とで記録媒体Ｐにトナー像を定着する。トナー像が定着した記録媒体Ｐは、排出ロール１４２によって排紙トレイ１４０へ排出される。
【００４４】
なお、中間転写ベルト１１３と記録媒体Ｐとにトナー像は全て転写されずに、一部は感光体ドラム１１２および中間転写ベルト１１３に残留トナーとして残る。感光体ドラム１１２上の残留トナーはクリーニングロール１４４により除去され、中間転写ベルト１１３上の残留トナーはクリーニング装置１３８によって除去される。
【００４５】
＜本発明の実施の形態に係る画像読取装置の構成＞
次に、本発明の実施の形態に係る画像読取装置の構成について、上記図１とあわせて図２〜図４を用いて説明する。
【００４６】
本実施の形態に係る画像読取装置１０は、原稿の画像を読み取る機能の他に、原稿を搬送する原稿搬送装置としての機能を有している。画像読取装置１０の上部には、原稿が置かれる原稿置き部の一例としての原稿トレイ１１と、この原稿トレイ１１を上昇および下降させるトレイリフタ１２とが設けられている。原稿トレイ１１は、原稿の搬送中（搬送開始から搬送終了まで）は同じ位置（高さ）に停止した状態に維持される。原稿トレイ１１には、通常は、複数枚の原稿をひとまとめに重ね合わせた原稿束が置かれるが、原稿が１枚だけ置かれる場合もあり得る。また、原稿トレイ１１には、同一サイズの原稿だけでなく、原稿のサイズを規定する原稿長および原稿幅のうち、少なくとも一方のサイズが異なる複数枚の原稿（原稿束）を同時に置く（混載する）ことが可能となっている。
【００４７】
画像読取装置１０は、原稿トレイ１１に置かれた原稿を最上位の原稿から順に搬送する搬送部３７と、搬送部３７によって搬送された原稿の画像を読み取る読取部７０と、読取部７０によって読み取られた原稿の画像に基づく画像信号を処理する処理装置８０とを備えている。
【００４８】
搬送部３７は、繰り出しロール１３と送り出しロール対１４、１５とを備えている。さらに搬送部３７は、原稿を搬送するための搬送路として、第１搬送路３１、第２搬送路３２、第３搬送路３３、第４搬送路３４、第５搬送路３５および第６搬送路３６を備えている。搬送部３７は、後述する基準位置と読取位置を順に経由するように原稿を搬送する。
【００４９】
繰り出しロール１３は、原稿トレイ１１に原稿が置かれていない待機時には、原稿トレイ１１から離間するように上方に退避した位置に保持される。そして、原稿トレイ１１に原稿が置かれた状態で原稿搬送を開始するときに、退避位置から下降して原稿の最上面に接触し、この状態で回転することにより、原稿トレイ１１から原稿を繰り出す。
【００５０】
繰り出しロール１３は、トレイリフタ１２により上昇された原稿トレイ１１に置かれた原稿を最上位の原稿から順に繰り出す。送り出しロール対１４、１５は、繰り出しロール１３によって繰り出された原稿を１枚ずつ分離した状態で搬送方向の下流側へと送り出す。
【００５１】
第１搬送路３１は、原稿トレイ１１に置かれた原稿が最初に送り込まれる搬送路である。第１搬送路３１には、上述した送り出しロール対１４、１５の他に、テイクアウェイロール１６、プレレジロール１７、レジロール１８、プラテンロール１９およびアウトロール２０が、搬送路の上流側から下流側に順に配置されている。また、第１搬送路３１には、搬送される原稿のループ状態に応じて、支点を中心に回動するバッフル４１が設けられている。
【００５２】
テイクアウェイロール１６は、送り出しロール対１４、１５によって１枚ずつ分離して送り出された原稿を更に下流側のロールに向けて搬送する。プレレジロール１７は、テイクアウェイロール１６によって搬送された原稿を更に下流側のロールに向けて搬送すると共に、当該搬送した原稿の先端をレジロール１８に突き当てた状態で予め設定された搬送量だけ原稿を搬送することにより、レジロール１８の手前（上流側）で原稿をループ状に撓ませる、いわゆるループの形成を行う。原稿のループの形成に際して、バッフル４１は支点を中心に外側に逃げるように変位することで、原稿のループ形成を妨げることのないように機能する。
【００５３】
レジロール１８は、当該レジロール１８への突き当てによって一旦、原稿の進行を停止した後に、予め設定されたタイミングを合わせて回転を再開し、読取部７０に対してレジストレーション調整を施しながら原稿を供給する。レジロール１８は、基準位置の一例となる、第１搬送路３１の途中の位置に設けられている。このため、本実施の形態においては、レジロール１８が設けられている位置が「基準位置」に相当する。プラテンロール１９は、読み込み中（第２プラテンガラス７２Ｂを通過中）の原稿の搬送をアシストする。アウトロール２０は、読み込まれた原稿を更に下流に搬送する。
【００５４】
第２搬送路３２および第３搬送路３３は、アウトロール２０の下流側で分岐している。第２搬送路３２と第３搬送路３３の分岐部分には、切り替えゲート４２が設けられている。切り替えゲート４２は、アウトロール２０によって搬送された原稿の進路を第２搬送路３２又は第３搬送路３３に切り替える。
【００５５】
第２搬送路３２の終端部には第１排出ロール２１が設けられている。第１排出ロール２１は、第２搬送路３２へと搬送された原稿を排出トレイ４０上に排出するものである。第１搬送ロール２１は、双方向に回転可能に設けられている。
【００５６】
第３搬送路３３の下流側には、第３搬送路３３を経由した原稿をスイッチバックさせるための第４搬送路３４が形成されている。第４搬送路３４には、原稿のスイッチバックを行なうインバータロール２２およびインバータピンチロール２３が設けられている。原稿のスイッチバックは、原稿の表裏の関係を反転させるために行なわれる。
【００５７】
第５搬送路３５は、第４搬送路３４でインバータロール２２およびインバータピンチロール２３によりスイッチバックされた原稿を、第１搬送路３１に導くために、第４搬送路３４と第１搬送路３１とをつないでいる。
【００５８】
第６搬送路３６は、第４搬送路３４でインバータロール２２およびインバータピンチロール２３によりスイッチバックされた原稿を、第２搬送路３２に導くために、第４搬送路３４と第２搬送路３２とをつないでいる。第６搬送路３６の途中には第２排出ロール２４が配置されている。第２排出ロール２４は、双方向に回転可能に設けられている。
【００５９】
切り替えゲート４３は、第４搬送路３４でインバータロール２２およびインバータピンチロール２３によりスイッチバックされた原稿の進路を、第５搬送路３５又は第６搬送路３６に切り替える。
【００６０】
読取部７０は、画像読取装置１０の下部に設けられている。読取部７０は、搬送部３７によって搬送された原稿の画像を光学的に読み取るための構成を有している。読取部７０の筐体を形成する装置フレーム７１の上部には、原稿台の一例として、第１プラテンガラス７２Ａと第２プラテンガラス７２Ｂが設けられている。
【００６１】
第１プラテンガラス７２Ａは、画像の読み取り対象となる原稿（本を含む）を静止させた状態に置いて、当該静止状態の原稿の画像を読み取るための原稿台となる。第２プラテンガラス７２Ｂは、画像の読み取り対象となる原稿を上記原稿トレイ１１に置いて搬送部３７により搬送した場合に、当該搬送中（移動中）の原稿の画像を読み取るための原稿台となる。第２プラテンガラス７２Ｂは、第１搬送路３１に沿う原稿搬送方向において、レジロール１８よりも下流側で、かつ、アウトロール２０よりも上流側に配置されている。
【００６２】
読取部７０は、原稿搬送方向において、例えば、プラテンロール１９が設けられている第２プラテンガラス７２Ｂの中間位置を「読取位置」の一例とし、当該中間位置で原稿の画像を読み取る。読取部７０の装置フレーム７１の内部には、フルレートキャリッジ７３と、ハーフレートキャリッジ７５とが組み込まれている。フルレートキャリッジ７３には、原稿に光を照射する照明ランプ７４と、原稿から得られた反射光を受光する第１ミラー７６Ａが搭載されている。ハーフレートキャリッジ７５には、第１ミラー７６Ａから得られた光を結像部へ導く第２ミラー７６Ｂおよび第３ミラー７６Ｃが搭載されている。
【００６３】
結像部は、結像レンズ７７およびＣＣＤ(Charge Coupled Device)イメージセンサ７８を用いて構成されている。結像レンズ７７は、第３ミラー７６Ｃによって反射された光学像を光学的に縮小する。ＣＣＤイメージセンサ７８は、結像レンズ７７によって結像された光学像を光電変換することにより、画像信号を生成する。ＣＣＤイメージセンサ７８は駆動基板７９に実装されている。ＣＣＤイメージセンサ７８によって得られた画像信号は駆動基板７９を介して処理装置８０に送られる。処理装置８０は、画像信号を露光ヘッド１１６へ送るようになっている。
【００６４】
第１プラテンガラス７２Ａに置かれた原稿の画像を読み取る場合は、フルレートキャリッジ７３とハーフレートキャリッジ７５とが、２：１の割合でスキャン方向（矢印方向）に移動する。このとき、フルレートキャリッジ７３の照明ランプ７４の光が原稿の被読み取り面に照射されると共に、その原稿からの反射光が第１ミラー７６Ａ、第２ミラー７６Ｂおよび第３ミラー７６Ｃの順に反射されて結像レンズ７７に導かれる。
【００６５】
結像レンズ７７に導かれた光は、ＣＣＤイメージセンサ７８の受光面に結像される。ＣＣＤイメージセンサ７８は１次元のセンサであり、１ライン分を同時に処理している。このライン方向（主走査方向）の１ライン単位の読み取りを、スキャン方向に移動するフルレートキャリッジ７３とハーフレートキャリッジ７５の移動中に繰り返し実行することにより、原稿の１ページ分の画像が読み取られる。
【００６６】
一方、第２プラテンガラス７２Ｂは、例えば長尺の板状構造をなす透明なガラスプレートで構成される。搬送部３７によって搬送される原稿がこの第２プラテンガラス７２Ｂの上を通過する。このとき、フルレートキャリッジ７３とハーフレートキャリッジ７５とは、図１に示す実線の位置（左端）に停止した状態にある。この停止状態のもとで、搬送中の原稿の画像は、次のように読み取られる。
【００６７】
まず、搬送部３７のプラテンロール１９で第２プラテンガラス７２Ｂの上面に押し付けられた原稿の被読み取り面に対して、フルレートキャリッジ７３の照明ランプ７４の光が照射されると共に、その原稿からの反射光が第１ミラー７６Ａ、第２ミラー７６Ｂおよび第３ミラー７６Ｃの順に反射されて結像レンズ７７に導かれる。そして、上記同様に一次元のセンサであるＣＣＤイメージセンサ７８によって１ライン分を同時に処理する。この１ライン単位の読み取りを、第２プラテンガラス７２Ｂ上を移動する原稿の移動中（搬送中）に繰り返し実行することにより、原稿の１ページ分の画像が読み取られる。
【００６８】
本実施の形態に係る画像読取装置１０では、原稿の搬送方向Ａと直交する方向の中心位置を基準として原稿を搬送し、この搬送中の原稿の画像を読み取るセンターレジストレーションが採用されている。このセンターレジストレーションを実現するにあたっては、主走査方向で原稿をセンター振り分けとして位置決めする一対の原稿ガイド６１，６２を原稿トレイ１１上に設けている。
【００６９】
一対の原稿ガイド６１，６２は、原稿トレイ１１に置かれた原稿を原稿幅方向（主走査方向）で位置決めする位置決め部材の一例として設けられたものである。一対の原稿ガイド６１，６２のうち、一方の原稿ガイド６１は、画像形成装置１００を使用（操作）する使用者の立ち位置から見て奥側に配置され、他方の原稿ガイド６２は、当該使用者の立ち位置から見て手前側に配置されている。このため、以降の説明では、一方の原稿ガイド６１を奥側ガイド６１とも呼び、他方の原稿ガイド６２を手前側ガイド６２とも呼ぶ。
【００７０】
奥側ガイド６１および手前側ガイド６２は、原稿トレイ１１に形成されたスライド溝６５により、原稿の搬送方向Ａと直交する方向（原稿幅方向）に移動可能に構成されている。
【００７１】
また、奥側ガイド６１および手前側ガイド６２は、それぞれ原稿の一方（奥側）の側端と他方（手前側）の側端に突き当てられることにより、原稿の両方の側端位置を揃えるようにして原稿を位置決めする。
【００７２】
さらに、奥側ガイド６１および手前側ガイド６２は、原稿トレイ１１の裏側（原稿トレイの内側）に設けられたラック６３とそれぞれ連結されている。奥側ガイド６１から延びるラック６３と手前側ガイド６２から延びるラック６３は、共通のピニオン６４に噛み合っている。各ラック６３とピニオン６４の噛み合いにより、奥側ガイド６１および手前側ガイド６２は、原稿幅方向で互いに同量ずつ接近又は離間する方向に移動するようになっている。その際、奥側ガイド６１および手前側ガイド６２が原稿幅方向の中心位置から左右均等となる位置に配置されていれば（センター振り分けがなされていれば）、奥側ガイド６１および手前側ガイド６２の間の中心位置は、これらのガイドがスライドした後であっても同じ位置に維持される。
【００７３】
画像読取装置１０は、図３に示すように、原稿トレイ１１に置かれた原稿の原稿幅を検知する第１原稿幅検知センサ５０を備えている。第１原稿幅検知センサ５０は、奥側ガイド６１のスライド移動に伴って、奥側ガイド６１と一体に移動する移動体５２に沿って配置された複数の光センサ５４を備えている。
【００７４】
一対の原稿ガイド６１、６２は、原稿トレイ１１に置かれた原稿を位置決めするにあたって、当該原稿の両方の側端に同時に突き当てられる。このため、原稿を位置決めした状態の原稿ガイド６１，６２の位置は、原稿トレイ１１に置かれた原稿の原稿幅に対応した位置となる。したがって、第１原稿幅検知センサ５０は、原稿トレイ１１に置かれた原稿の原稿幅を、原稿幅方向に移動する奥側ガイド６１の位置に応じて検知する。
【００７５】
移動体５２は、断面Ｌ字状に屈曲された板体で構成され、奥側ガイド６１のラック６３と一体に構成されている。移動体５２には、複数の開口５３が設けられている。各々の開口５３は、移動体５２の移動方向（原稿幅方向）において、互いに異なる位置に設けられている。なお、ここでは移動体５２に複数の開口５３を設けているが、当該開口５３に代えて、例えば、切り欠き（不図示）を設けてもよい。
【００７６】
第１原稿幅検知センサ５０を構成する複数の光センサ５４は、それぞれ、発光部５４Ａと受光部５４Ｂとを有する。上述した移動体５２の開口５３が形成された部分は、各々の光センサ５４の発光部５４Ａと受光部５４Ｂの間を移動するようになっている。そして、光センサ５４の発光部５４Ａと受光部５４Ｂの間に移動体５２の開口５３が位置する状態では、発光部５４Ａから照射された光を受光部５４Ｂが受光するため、光センサ５４がオン状態となる。また、光センサ５４の発光部５４Ａと受光部５４Ｂの間に移動体５２の開口５３が位置しない状態では、発光部５４Ａから照射された光が移動体５２で遮られて受光部５４Ｂが受光しないため、光センサ５４がオフ状態となる。
【００７７】
第１原稿幅検知センサ５０を構成する複数の光センサ５４のセンサ個数を３つとした場合は、３つの光センサ５４のオンオフ状態が原稿ガイド６１、６２の位置によって８つのパターンで切り替わるように、移動体５２の各開口５３と各光センサ５４の相対的な位置関係が設定されている。
【００７８】
さらに詳述すると、まず、説明の便宜上、図３に示すように、３つの光センサ５４を手前側ガイド６２に近い側から順に、光センサ５４−１、光センサ５４−２、光センサ５４−３と区別するとともに、移動体５２に形成された４つの開口５３を手前側ガイド６２に近い側から順に、開口５３―１、開口５３−２、開口５３−３、開口５３−４と区別する。
【００７９】
そうした場合、３つの光センサ５４−１、５４−２、５４−３のオンオフ状態のパターンは、原稿ガイド６１、６２の位置に応じて、以下の表１に示すように、８つのパターンのうちのいずれか１つに該当するものとなる。
【００８０】
【表１】
2011071592.tif 000003
【００８１】
表１において、パターン１は、光センサ５４−１がオンで、光センサ５４−２、５４−３がオフとなるパターンである。パターン２は、光センサ５４−１、５４−２、５４−３がすべてオフとなるパターンである。パターン３は、光センサ５４−１、５４−３がオフで、光センサ５４−２がオンとなるパターンである。パターン４は、光センサ５４−１、５４−２がオンで、光センサ５４−３がオフとなるパターンである。
【００８２】
パターン５は、光センサ５４−１、５４−３がオンで、光センサ５４−２がオフとなるパターンである。パターン６は、光センサ５４−１、５４−２がオフで、光センサ５４−３がオンとなるパターンである。パターン７は、光センサ５４−１がオフで、光センサ５４−２、５４−３がオンとなるパターンである。パターン８は、光センサ５４−１、５４−２、５４−３がすべてオンとなるパターンである。
【００８３】
このように各光センサ５４−１、５４−２、５４−３のオンオフ状態のパターンの違いを利用すれば、原稿ガイド６１、６２の位置が、上記オンオフのパターンの違いで識別される８つの位置のいずれに存在するかを把握可能となる。また、原稿ガイド６１、６２は、原稿トレイ１１に置かれた原稿を位置決めするにあたって、当該原稿の両方の側端に同時に突き当てられる。このため、原稿を位置決めした状態の原稿ガイド６１，６２の位置は、原稿トレイ１１に置かれた原稿の原稿幅に対応した位置となる。
【００８４】
したがって、上述した３つの光センサ５４−１、５４−２、５４−３のオンオフ状態が上記８つのパターンのいずれに該当するかにより、原稿トレイ１１に置かれた原稿の原稿幅を検知可能となる。ただし、原稿トレイ１１にサイズの異なる原稿が置かれた場合は、原稿ガイド６１、６２を最大幅の原稿の両側端に突き当てて原稿を位置決めすることになる。このため、第１原稿幅検知センサ５０（光センサ５４−１、５４−２、５４−３）を用いて検知される原稿の原稿幅は、原稿トレイ１１に置かれた原稿のうち、原稿幅が最大となる原稿の原稿幅（以下、「最大原稿幅」）に対応したものとなる。
【００８５】
なお、原稿トレイ１１に置かれた原稿の原稿幅を検知する第１原稿幅検知手段の構成としては、上記の構成に限らず、例えば、ピニオン６４の回転量および回転方向に基づいて、奥側ガイド６１および手前側ガイド６２の位置を認識することにより、奥側ガイド６１および手前側ガイド６２により位置決めされた原稿の原稿幅を検知する構成であってもよい。
【００８６】
本実施の形態では、図２に示すように、第１搬送路３１におけるフィードロール１４の下流側の近傍に、搬送部３７により原稿トレイ１１から１枚ずつ分離して搬送された原稿の原稿幅を検知する第２原稿幅検知センサ６６が設けられている。
【００８７】
第２原稿幅検知センサ６６は、例えば、複数（図例では４つ）の反射型の光センサを用いて構成されている。第２原稿幅検知センサ６６は、原稿トレイ１１に置かれると予想される原稿の原稿幅の検知を考慮して、各センサの配置間隔が決定されている。
【００８８】
例えば、原稿幅方向（主走査方向）でセンター振り分けの基準となる中心位置に近い側（内側）の検知センサ６６から数えて、１つ目、２つ目、３つ目、４つ目と区別すると、Ａ５サイズの短手寸法（１８２ｍｍ）に相当する原稿幅の原稿を搬送した場合は、１つ目の検知センサ６６だけがオン状態となり、Ａ４サイズの短手寸法（２１０ｍｍ）に相当する原稿幅の原稿を搬送した場合は、２つ目までの検知センサ６６がオン状態となり、Ｂ４サイズの短手寸法（２５７ｍｍ）に相当する原稿幅の原稿を搬送した場合は、３つ目までの検知センサ６６がオン状態となり、Ａ３サイズの短手寸法（２９７ｍｍ）に相当する原稿幅の原稿を搬送した場合は、４つの検知センサ６６がすべてオン状態となる条件を満たす位置関係で、各々の検知センサ６６が原稿幅方向に位置をずらして配置されている。
【００８９】
なお、図２に示す構成例では、異なるサイズの原稿Ｇ１、Ｇ２を原稿トレイ１１に混載するにあたって、各々の原稿Ｇ１、Ｇ２の奥側の側端を奥側ガイド６１に突き当てて当該原稿Ｇ１、Ｇ２の奥側の側端位置を揃えることを前提に、第２原稿幅検知センサ６６を手前側ガイド６２寄りに配置しているが、これに限らない。例えば、図示はしないが、各々の原稿の手前側の側端を手前側ガイド６２に突き当てて当該原稿の手前側の側端位置を揃えることを前提に、第２原稿幅検知センサ６６を奥側ガイド６１寄りに配置してもよい。
【００９０】
また、本実施の形態では、図４に示すように、原稿トレイ１１に置かれた原稿の原稿長を検知する原稿長検知センサ５６が設けられている。原稿長検知センサ５６は、原稿トレイ１１上で、当該原稿トレイ１１に置かれた原稿の原稿長を検知するものである。原稿トレイ１１には、原稿のサイズの違いにかかわらず、すべての原稿が、原稿の先端位置を揃えた状態で置かれる。このため、原稿の後端位置は、原稿トレイ１１に置かれた原稿の原稿長に依存したものとなる。即ち、原稿長が長い原稿と原稿長が短い原稿を比較すると、原稿長が長い原稿の後端位置は、原稿長が短い原稿の後端位置よりも、繰り出しロール１３から離れたところに位置するものとなる。
【００９１】
原稿長検知センサ５６は、例えば、複数（図例では４つ）の反射型の光センサを用いて構成されている。原稿長検知センサ５６は、原稿トレイ１１に置かれると予想される原稿の原稿長の検知を考慮して、各センサの配置間隔が決定されている。
【００９２】
例えば、原稿長方向で繰り出しロール１３に近い側の検知センサ５６から数えて、１つ目、２つ目、３つ目、４つ目と区別すると、Ａ５サイズの短手寸法（１８２ｍｍ）に相当する原稿長の原稿を原稿トレイ１１に置いた場合は、１つ目の検知センサ５６だけがオン状態となり、Ａ４サイズの短手寸法（２１０ｍｍ）に相当する原稿長の原稿を原稿トレイ１１に置いた場合は、２つ目までの検知センサ５６がオン状態となり、Ｂ４サイズの短手寸法（２５７ｍｍ）に相当する原稿長の原稿を原稿トレイ１１に置いた場合は、３つ目までの検知センサ５６がオン状態となり、Ａ３サイズの短手寸法（２９７ｍｍ）に相当する原稿長の原稿を原稿トレイ１１に置いた場合は、４つの検知センサ５６がすべてオン状態となる条件を満たす位置関係で、各々の検知センサ５６が原稿長方向に位置をずらして配置されている。
【００９３】
原稿トレイ１１にサイズの異なる原稿を置いた場合は、原稿長検知センサ５６を構成する複数の光センサのうち、オン状態となる光センサの個数は、原稿長が最大の原稿のサイズによって決まる。このため、原稿トレイ１１上で原稿長検知センサ５６を用いて検知される原稿の原稿長は、原稿トレイ１１に置かれた原稿のうち、原稿長が最大となる原稿の原稿長（以下、「最大原稿長」）に対応したものとなる。
【００９４】
原稿検知センサ６８、６９は、第１搬送路３１の途中に設けられている。原稿検知センサ６８は、原稿の搬送方向において、送り出しロール対１４、１５よりも下流側で、かつテイクアウェイロール１６よりも上流側に配置されている。原稿検知センサ６９は、原稿の搬送方向において、プレレジロール１７よりも下流側で、かつレジロール１８よりも上流側に配置されている。原稿検知センサ６８、６９は、それぞれのセンサ位置で、搬送部３７により原稿トレイ１１から１枚ずつ分離して搬送される原稿の先端および後端の通過を検知する。原稿検知センサ６８、６９は、例えば反射型の光センサを用いて構成されている。
【００９５】
第１原稿幅検知センサ５０、第２原稿幅検知センサ６６、原稿長検知センサ５６および原稿検知センサ６８、６９は、それぞれ制御部９０に電気的に接続されている。そして、第１原稿幅検知センサ５０、第２原稿幅検知センサ６６、原稿長検知センサ５６および原稿検知センサ６８、６９の各検知信号は、それぞれ個別に制御部９０に取り込まれるようになっている。
【００９６】
制御部９０は、例えば、ＣＰＵ（中央演算処理装置）、ＲＯＭ(Read-Only Memory)、ＲＡＭ(Random Access Memory)、ハードディスク等のコンピュータのハードウェア資源を用いて構成される。制御部９０は、例えば、上記のＲＯＭ又はハードディスクに格納された制御用のプログラムをＲＡＭに読み出して実行することにより、画像読取装置１０を含む画像形成装置１００全体の動作を制御する。このため、搬送部３７の各種ロールの動作やゲートの切り替え動作等は、制御部９０によって制御される。制御部９０は、少なくとも、前述した搬送部３７および読取部７０と、後述する表示部および受付部とを含む、各部の動作を制御する。具体的な動作制御の内容については後段で説明する。
【００９７】
また、図５に示すように、画像読取装置１０の筐体表面には、画像形成装置１００を使用（操作）する使用者が操作する操作部の一例としての操作パネル５８が設けられている。この操作パネル５８は、表示部の一例としての表示パネル５９を備えている。また、操作パネル５８は、使用者から各種の指示を受け付ける受付部としての機能も兼ねている。
【００９８】
ここで、本実施の形態に係る画像読取装置１０は、異なるサイズの原稿の搬送を許容する搬送モード（以下、「混載モード」）と、異なるサイズの原稿の搬送を許容しない（換言すると、同一サイズの原稿のみの搬送を許容する）搬送モード（以下、「通常モード」）を有している。
【００９９】
本実施の形態では、混載モードにおいて、異なるサイズの原稿を同時に重ねて原稿トレイ１１の上に置き、その原稿束から原稿を１枚ずつ搬送し、その原稿の画像を読み取るようになっている。
【０１００】
混載モードは、操作パネル５８を通じて使用者が選択することで設定される。混載モードが選択されると、制御部９０が混載モードに基づく処理を行う。
【０１０１】
通常モードでは、原稿トレイ１１に正しく原稿が置かれ、それに合わせて原稿ガイド６１、６２の位置が正しく調整されていれば、第１原稿幅検知センサ５０による原稿幅の検知結果、および、原稿長検知センサ５６による原稿長の検知結果に基づいて、原稿のサイズを特定しても特に問題はない。しかしながら、混載モードでは、異なるサイズの原稿が原稿トレイ１１に同時に置かれるため、第１原稿幅検知センサ５０の検知結果と原稿長検知センサ５６の検知結果から特定される原稿のサイズと、実際に原稿トレイ１１から搬送される原稿のサイズが一致（整合）しない場合がある。
【０１０２】
このため、混載モードでは、第１原稿幅検知センサ５０の検知結果と原稿長検知センサ５６の検知結果に加えて、第２原稿幅検知センサ６６の検知結果と、原稿検知センサ６８、６９の検知結果に基づいて、原稿のサイズを特定（確定）する。これらの検知結果は、原稿のサイズ検知に関する情報の一例として、制御部９０に取り込まれる。
【０１０３】
制御部９０が特定した原稿のサイズは、画像形成装置１００の画像形成動作に適用する画像形成条件、例えば、画像読取装置１０で原稿の画像を読み取るときの読み取り範囲や、コピー処理に適用するコピー倍率、コピー処理に使用する記録媒体Ｐのサイズなど、を決定するために利用される。
【０１０４】
＜本発明の実施の形態に係る画像読取装置の動作＞
次に、本発明の実施の形態に係る画像読取装置の動作について説明する。ここでは、原稿１１に置かれた原稿の画像を読み取る場合の動作について説明する。
【０１０５】
まず、原稿トレイ１１に置かれた原稿を繰り出しロール１３によって繰り出した後、送り出しロール対１４、１５により第１搬送路３１の下流側に送り出す。次に、第１搬送路３１上で原稿をテイクアウェイロール１６およびプレレジロール１７を順に経て、レジロール１８に送り込む。このとき、原稿の先端を回転停止状態とされたレジロール１８のニップ部に突き当てる。そして、その突き当て状態でプレレジロール１７により原稿を所定量だけ送り込むことにより、レジロール１８の手前で原稿をループ状に撓ませる。
【０１０６】
次に、予め設定されたタイミングでレジロール１８の回転を開始することにより、第２プラテンガラス７２Ｂ上に設定されている画像の読取位置に向けて原稿を搬送する。その後、第２プラテンガラス７２Ｂ上の読取位置を通過する原稿の画像を読取部７０により読み取る。
【０１０７】
次に、第２プラテンガラス７２Ｂ上を通過した原稿をアウトロール２０によって下流側に送り込む。さらに、この原稿を切り替えゲート４２によって第１搬送路３１から第２搬送路３２へと導く。最後に、第１排出ロール２１によって原稿を排出トレイ４０に排出する。
【０１０８】
以上は、原稿の片面の画像を読み取る場合の動作である。原稿の両面の画像を読み取る場合の動作は、次のようになる。
【０１０９】
まず、上述のように第２プラテンガラス７２Ｂ上を通過した原稿を、切り替えゲート４２によって第１搬送路３１から第３搬送路３３へと送り込んだ後、第３搬送路３３から第４搬送路３４へと送り込む。
【０１１０】
次に、第４搬送路３４でインバータロール２２およびインバータピンチロール２３により原稿をスイッチバックさせた後、切り替えゲート４３によって第４搬送路３４から第５搬送路３５へと原稿を送り込む。こうして第５搬送路３５へと送り込まれた原稿は、プレレジロール１７の手前（上流側）で第１搬送路３１に合流する。
【０１１１】
その後、第１搬送路３１に沿って搬送される原稿の画像を上記同様に読み取る。次に、第２プラテンガラス７２Ｂ上を通過した原稿を、切り替えゲート４２によって第１搬送路３１から第３搬送路３３へと送り込んだ後、第３搬送路３３から第４搬送路３４へと送り込む。
【０１１２】
次に、第４搬送路３４でインバータロール２２およびインバータピンチロール２３により原稿をスイッチバックさせた後、切り替えゲート４３によって第４搬送路３４から第６搬送路３６へと原稿を送り込む。
【０１１３】
次に、第６搬送路３６上で原稿を第２排出ロール２４により第１排出ロール２１に向けて搬送する。次に、第１排出ロール２１によって原稿を排出トレイ４１に排出する。
【０１１４】
＜画像読取処理の第１例＞
図６〜図８は本発明の実施の形態に係る画像読取装置の処理手順の第１例を示すフローチャートである。ここでは、原稿トレイ１１に置かれた原稿の画像を、上述した「通常モード」で読み取る場合の処理手順について説明する。
【０１１５】
まず、一連の処理（ジョブ）を開始するにあたって、制御部９０は、操作パネル５８に設けられたスタートボタンが押下されたかどうかを判断する（ステップＳ１）。スタートボタンは、例えば、コピーやスキャンなどの一連の処理の開始を指示するときに使用者によって押下操作されるものである。ここで記述する「一連の処理」とは、原稿トレイ１１に置かれた原稿の画像を読み取る場合に、当該原稿の搬送を開始してから、当該原稿の読み取りを終了し、かつ当該原稿の排出を終えるまでの処理をいう。したがって、原稿トレイ１１にＮ枚（Ｎは２以上の整数）の原稿が置かれた状況で、原稿の搬送を開始した場合は、当該Ｎ枚の原稿の読み取りを終了し、かつ当該Ｎ枚の原稿の排出を終えるまでの処理が「一連の処理」となる。
【０１１６】
次に、制御部９０は、上記ステップＳ１でスタートボタンが押下されたと判断すると、原稿ガイド６１、６２の位置から原稿幅を検知し、これを原稿の暫定幅Ｗ１に決定する（ステップＳ２）。原稿幅の検知は、例えば、次のような仕組みで行なえばよい。すなわち、上記表１に示す光センサ５４（５４−１、５４−２、５４−３）のオンオフ状態のパターン種と、各種の原稿幅とを対応付けた対応表のデータを、制御用データの１つとして上記のＲＯＭ又はハードディスクに記憶しておき、そこからＣＰＵが対応表のデータを読み出して、当該対応表にしたがって、光センサ５４のオンオフ状態のパターン種を基に原稿幅を検知する。
【０１１７】
次に、制御部９０は、原稿長検知センサ５６を用いて原稿長を検知し、これを原稿の暫定長Ｌ１に決定する（ステップＳ３）。なお、ステップＳ２の処理とステップＳ３の処理は、どちらを先に行なってもよい。ステップＳ２およびステップＳ３においては、原稿の搬送を開始する前に、原稿の原稿幅および原稿長を検知することになる。また、ステップＳ２およびステップＳ３においては、原稿トレイ１１に原稿が置かれた状態、つまり原稿を分離する前の状態で、当該原稿の原稿幅および原稿長を検知することになる。
【０１１８】
次に、制御部９０は、搬送部３７を駆動して原稿の搬送を開始する（ステップＳ４）。これにより、原稿トレイ１１に置かれた原稿のうち、最上位の原稿が繰り出しロール１３の回転によって繰り出されるとともに、繰り出された原稿が送り出しロール対１４、１５の回転によって１枚ずつ分離された状態で送り出される。
【０１１９】
次に、制御部９０は、「継続フラグ」がオンの状態になっているかどうかを確認する（ステップＳ５）。「継続フラグ」は、例えば、コピーなどの処理に際して、原稿トレイ１１に置かれたＮ枚（Ｎは２以上の整数）の原稿の画像を読み取る場合に、１枚目からＮ枚目までの原稿の画像を読み取り終えるまでの間、上記操作パネル５８で「処理を継続する旨の指示」を受け付けたときにオンの状態となる。「継続フラグ」のオン／オフの設定の切り替えは制御部９０が行なう。また、制御部９０は、画像形成装置１００が使用者からコピー、スキャンなどの処理の実行指示を待っている状態（待機状態）では、「継続フラグ」をオフの状態に設定しておく。このため、コピーなどの処理を開始する段階では、「継続フラグ」の初期設定がオフの状態になっている。
【０１２０】
制御部９０は、上記ステップＳ５において、「継続フラグ」がオンの状態になっていれば、後述するステップＳ１０の処理に移行し、「継続フラグ」がオフの状態になっていれば、次のステップＳ６の処理に進む。
【０１２１】
ステップＳ６において、制御部９０は、第１搬送路３１上で原稿幅検知センサ６６を用いて原稿幅Ｗ２を検知する。原稿幅検知センサ６６は、送り出しロール対１４，１５よりも搬送方向の下流側に配置されている。このため、第２原稿幅検知センサ６６が検知する原稿幅は、送り出しロール対１４、１５によって１枚ずつ分離して送り出された原稿の原稿幅に対応したものとなる。ステップＳ５においては、搬送中の原稿の原稿幅を検知することになる。また、ステップＳ５においては、送り出しロール対１４、１５により原稿を分離した状態で、当該原稿の原稿幅を検知することになる。
【０１２２】
次に、制御部９０は、上記ステップＳ２で検知した原稿幅（Ｗ１）と、上記ステップＳ６で検知した原稿幅Ｗ２とが、整合（一致）するかどうかを判断する（ステップＳ７）。そして、原稿幅が整合すると判断した場合は、次のステップＳ８の処理に進み、原稿幅が整合しないと判断した場合（つまり、原稿幅の不整合が発生したと判断した場合）は、後述するステップＳ１３の処理に移行する。
【０１２３】
ステップＳ８において、制御部９０は、上記ステップＳ４で搬送を開始した原稿、つまり搬送中の原稿の原稿長（Ｌ２）が確定したかどうかを確認する。ステップＳ８においては、搬送中の原稿の原稿長を、原稿検知センサ６８、６９を用いて検知することになる。また、ステップＳ８においては、送り出しロール対１４、１５により原稿を分離した状態で、当該原稿の原稿長を検知することになる。搬送中の原稿の原稿長は、例えば、次のような仕組みで検知し、確定すればよい。
【０１２４】
まず、搬送中の原稿の原稿長は、第１搬送路３１上で原稿搬送方向の異なる位置に設けられた原稿検知センサ６８、６９を用いて検知する。その場合、搬送中の原稿の先端通過を原稿検知センサ６８から検知してから、当該原稿の後端通過を原稿検知センサ６８が検知するまでに、原稿搬送用のモータが回転する回転量は原稿長に比例したものとなる。また、搬送中の原稿の先端通過を原稿検知センサ６９から検知してから、当該原稿の後端通過を原稿検知センサ６８が検知するまでに、原稿搬送用のモータが回転する回転量も原稿長に比例したものとなる。原稿搬送用のモータの回転量は、例えば、エンコーダなどを用いて検出することが可能である。
【０１２５】
したがって、例えば、原稿搬送方向において、原稿検知センサ６８から原稿検知センサ６９までの搬送長よりも原稿長が短い原稿の場合は、原稿検知センサ６８が原稿の先端通過を検知してから、当該原稿現地センサ６８が原稿の後端通過を検知するまでに、原稿搬送用のモータが回転した回転量を検出し、当該モータ回転量を原稿長に換算すれば、原稿長を検知（確定）することが可能となる。また、原稿搬送方向において、原稿検知センサ６８から原稿検知センサ６９までの搬送長よりも原稿長が長い原稿の場合は、原稿検知センサ６９が原稿の先端通過を検知してから原稿検知センサ６８が原稿の後端通過を検知するまでに、原稿搬送用のモータが回転した回転量を検出し、当該モータ回転量を原稿長に換算すれば、原稿長を検知（確定）することが可能となる。原稿長が長い原稿の場合は、当該原稿の後端通過を原稿検知センサ６８が検知した段階で、当該原稿の先端がレジロール１８の位置を過ぎている場合もあり得る。
【０１２６】
上記ステップＳ８において原稿長（Ｌ２）が確定したと判断すると、制御部９０は、上記ステップＳ３で検知した原稿長（Ｌ１）と上記ステップＳ８で確定（検知）した原稿長（Ｌ２）とが、整合（一致）するかどうかを判断する（ステップＳ９）。そして、原稿長が整合すると判断した場合は、次のステップＳ１０の処理に進み、原稿長が整合しないと判断した場合（つまり、原稿長に不整合が発生したと判断した場合）は、後述するステップＳ１９の処理に移行する。
【０１２７】
ステップＳ１０において、制御部９０は、搬送中の原稿が第２プラテンガラス７２Ｂ上の読取位置を通過するときに、当該原稿の画像を読取部７０で読み取るように制御する。
【０１２８】
次に、制御部９０は、画像の読み取りを終えた原稿を第１搬送路３１から第２搬送路３２へと送り込んだ後、当該第２搬送路３２の終端部に設けられた第１排出ロール２１の回転により、原稿を排出トレイ４０に排出するように制御する（ステップＳ１１）。
【０１２９】
次に、制御部９０は、次に搬送すべき原稿が原稿トレイ１１に残っているかどうかを、例えば、原稿トレイ１１に設けられた原稿有無センサ（不図示）を用いて確認する（ステップＳ１２）。そして、原稿トレイ１１に次の原稿が残っていれば、上記ステップＳ４に戻り、残っていなければ、一連の処理（例えば、コピー処理など）を終える。
【０１３０】
（ステップＳ１３の処理に移行した場合）
ステップＳ１３において、制御部９０は、原稿の搬送を停止するように搬送部３７を制御する。この場合、制御部９０は、レジロール１８の位置（以下、「レジ位置」とも記す）よりも原稿搬送方向の上流側に原稿を停止させる。原稿がレジ位置よりも原稿搬送方向の上流側に停止した状態とは、原稿搬送方向において、原稿の先端がレジ位置と同じか、レジ位置よりも上流側に存在する状態をいう。
【０１３１】
「原稿サイズの不整合」には、前述したように「原稿幅の不整合」と「原稿長の不整合」がある。上記ステップＳ７からステップＳ１３の処理に移行した場合は、原稿幅の不整合が生じた場合に相当する。その場合、原稿幅の不整合が発生する時刻は、原稿の先端がレジロール１８の位置を通過する通過時刻よりも前になる。その理由は、原稿搬送方向において、原稿幅検知センサ６６が、送り出しロール対１４、１５と搬送ロール対１６との間に配置され、この原稿幅検知センサ６６の検知結果を用いて、原稿幅に不整合が生じたかどうかを制御部９０で判断するためである。
【０１３２】
原稿の搬送を停止させる処理は、原稿がレジ位置よりも原稿搬送方向の上流側に停止する条件を満たせば、どのような段階で行なってもよい。
【０１３３】
例えば、原稿幅の不整合が発生した場合は、当該不整合の発生を認識した段階（つまり、原稿の先端が原稿幅検知センサ６６の位置を通過した段階）で、直ちに原稿の搬送を停止させる処理を行なってもよい。また、原稿の先端をレジロール１８に突き当ててループの形成を行えた段階で、原稿の搬送を停止させる処理を行なってもよい。また、原稿幅の不整合の発生を認識した後、原稿の先端がレジロール１８に突き当たる前の段階（例えば、原稿検知センサ６９が原稿の先端通過を検知した段階）で、原稿の搬送を停止させる処理を行なってもよい。
【０１３４】
次に、制御部９０は、原稿幅の不整合があっても、現在進行中の一連の処理を継続するか否かを使用者に確認するための確認画面を、上記表示パネル５９に表示するように制御する（ステップＳ１４）。確認画面としては、例えば、図９に示すように、確認のためのメッセージとあわせて、「継続」ボタンと「クリア」ボタンを表示する。表示パネル５９は、例えば、タッチパネル式になっている。そして、使用者がいずれか一方のボタンを押下すると、その押下された位置の座標データを基に、使用者が「継続」ボタンを選択したのか、「クリア」ボタンを選択したのかが制御部９０で判別できる仕組みになっている。
【０１３５】
次に、制御部９０は、表示パネル５９に確認画面を表示した状態で、使用者から一連の処理を継続する旨の指示を操作パネル５８で受け付けたかどうか、つまり使用者が確認画面上で「継続」ボタンを選択（押下操作）したかどうかを判断する（ステップＳ１５）。このとき、使用者から一連の処理を継続する旨の指示を受け付けると、制御部９０は、それをトリガとして「継続フラグ」をオンの状態に設定する。そして、上記ステップＳ１３で停止させていた原稿の搬送を再開するように搬送部３７を制御した後（ステップＳ１６）、上記ステップＳ１０の処理に移行する。この場合は、「継続フラグ」がオンに設定された状態で、現在進行中の一連の処理が継続されるため、上記ステップＳ５の判定結果は肯定判定となる。
【０１３６】
また、上記ステップＳ１５において、使用者から一連の処理を継続する旨の指示を受け付けなかった、つまり使用者が確認画面上で「クリア」ボタンを選択（押下操作）した場合は、制御部９０は、現在進行中の一連の処理を中止して搬送路上の原稿を排出トレイ４０に排出するように搬送部３７を制御する（ステップＳ１７）。
【０１３７】
次に、制御部９０は、使用者に対して原稿サイズの不整合の発生を回避するための忠告画面を表示パネル５９に表示した後、処理待ちの待機状態に戻す（ステップＳ１８）。この場合は、原稿幅の不整合の発生がきっかけになって、ステップＳ１７とステップＳ１８の処理が行なわれる。このため、忠告画面としては、例えば、図１０に示すように、原稿ガイドの位置合わせを促すメッセージや混載モードの設定を促すメッセージを含むものとすればよい。ちなみに、混載モードに設定された場合は、異なるサイズの原稿の搬送を許容する、つまり原稿サイズの不整合が発生することを前提に、一連の処理を行なうことになる。
【０１３８】
（ステップＳ１９の処理に移行した場合）
ステップＳ９からステップＳ１９に移行した場合は、原稿長の不整合が生じた場合に相当する。その場合、原稿長の不整合が発生する時刻は、原稿の先端がレジ位置を通過する通過時刻よりも前になることも、後になることもある。そこで、ステップＳ１９において、制御部９０は、原稿がレジ位置を過ぎているかどうかを判断する。原稿がレジ位置を過ぎている状態とは、原稿の先端がレジ位置よりも原稿搬送方向の下流側に存在する状態をいう。このため、原稿がレジ位置を過ぎているかどうかについては、例えば、次のような判断基準に基づいて判断すればよい。
【０１３９】
すなわち、第２プラテンガラス７２Ｂ上の読取位置に向けて原稿を搬送する場合は、それに先立って、まず、回転停止状態のレジロール１８のニップ部に原稿の先端をレジロール１８に突き当て、次に、当該突き当て状態で原稿を所定量搬送してループ状に撓ませてから、所定のタイミングでレジロール１８の回転を開始することになる。このため、レジロール１８の回転を開始した後であれば、上記ステップＳ１９で肯定判定し、レジロール１８の回転を開始する前であれば、上記ステップＳ１９で否定判定すればよい。ステップＳ１９で肯定判定した場合は、次のステップＳ２０に進み、ステップＳ１９で否定判定した場合は、上記ステップＳ１３の処理に移行する。
【０１４０】
ステップＳ２０において、制御部９０は、原稿の搬送をそのまま継続させ、搬送中の原稿が第２プラテンガラス７２Ｂ上の読取位置を通過するときに、当該原稿の画像を読取部７０で読み取るように制御する。
【０１４１】
次に、制御部９０は、第２プラテンガラス７２Ｂ上の読取位置を原稿が完全に通過した後（１ページ分の画像の読み取りを終えた後）、当該原稿を排出トレイ４０に排出する前の段階で、原稿の搬送を停止するように、搬送部３７を制御する（ステップＳ２１）。原稿を排出トレイ４０に排出する前の段階とは、原稿の後端が第１排出ロール２１の位置を通過する前の段階（原稿全体が第１排出ロール２１を抜けて排出トレイ４０に完全に排出される前の段階）をいう。
【０１４２】
次に、制御部９０は、原稿長の不整合があっても、現在進行中の一連の処理を継続するか否かを使用者に確認するための確認画面を、上記表示パネル５９に表示するように制御する（ステップＳ１４）。確認画面としては、例えば、図１１に示すように、確認のためのメッセージとあわせて、「継続」ボタンと「クリア」ボタンを表示する。
【０１４３】
次に、制御部９０は、表示パネル５９に確認画面を表示した状態で、使用者から一連の処理を継続する旨の指示を操作パネル５８で受け付けたかどうか、つまり使用者が確認画面上で「継続」ボタンを選択（押下操作）したかどうかを判断する（ステップＳ２３）。このとき、使用者から一連の処理を継続する旨の指示を受け付けると、制御部９０は、それをトリガとして「継続フラグ」をオンの状態に設定する。そして、上記ステップＳ２１で停止させていた原稿の搬送を再開するように搬送部３７を制御した後（ステップＳ２４）、上記ステップＳ１１の処理に移行する。この場合は、「継続フラグ」がオンに設定された状態で、現在進行中の一連の処理が継続されるため、上記ステップＳ５の判定結果は肯定判定となる。また、上記ステップＳ２１で搬送を停止する前に、上記ステップＳ２０で読み取った原稿の画像情報は、有効な画像情報としてＲＡＭ、ハードディスク等の画像蓄積部に保存する。
【０１４４】
また、上記ステップＳ２３において、使用者から一連の処理を継続する旨の指示を受け付けなかった、つまり使用者が確認画面上で「クリア」ボタンを選択（押下操作）した場合は、上記ステップＳ１７の処理に移行する。この場合は、原稿長の不整合の発生がきっかになって、ステップＳ１７とステップＳ１８の処理が行なわれる。このため、ステップＳ１８で表示パネル５９に表示する忠告画面としては、例えば、図１２に示すように、原稿トレイ１１に原稿以外のものを置かないように注意を促すメッセージや混載モードの設定を促すメッセージを含むものとすればよい。
【０１４５】
＜画像読取処理の第２例＞
図１３は本発明の実施の形態に係る画像読取装置の処理手順の第２例を示すフローチャートである。この第２例の処理手順においては、上記第１例の処理手順と比較して、上記ステップＳ９で否定判定した後の処理手順が異なる。このため、図１３のフローチャートは、上記ステップＳ９で否定判定した後の処理手順を示している。
【０１４６】
まず、ステップＳ３１において、制御部９０は、原稿がレジ位置を過ぎているかどうかを判断する。ここでの判断基準は、上記ステップＳ１９と同様の判断基準を採用すればよい。ステップＳ３１で肯定判定した場合は、次のステップＳ３２に進み、ステップＳ３１で否定判定した場合は、上記第１例の処理手順に含まれるステップＳ１３の処理に移行する。
【０１４７】
ステップＳ３２において、制御部９０は、原稿の画像の読み取りを中止して、排出直前の状態で原稿の搬送を停止するように、読取部７０および搬送部３７を制御する。このとき、原稿の先端が読取位置に到達する前であれば、第２プラテンガラス７２Ｂ上で画像の読み取りを行なうことなく、原稿を通過させる。また、原稿の先端が読取位置に到達した後であれば、読取部７０による画像の読み取りを中断させる。排出直前の状態とは、原稿を第１排出ロール２１で挟持している状態で、当該原稿の先端が第１排出ロール２１よりも下流側（排出トレイ４０側）に存在し、かつ当該原稿の後端が第２搬送路３２と第６搬送路３６の合流位置よりも下流側（第１排出ロール２１側）に存在する状態をいう。
【０１４８】
次に、制御部９０は、原稿長の不整合があっても、現在進行中の一連の処理を継続するか否かを使用者に確認するための確認画面を、上記表示パネル５９に表示するように制御する（ステップＳ３３）。確認画面としては、例えば、上記図１１と同様に、確認のためのメッセージとあわせて、「継続」ボタンと「クリア」ボタンを表示する。
【０１４９】
次に、制御部９０は、表示パネル５９に確認画面を表示した状態で、使用者から一連の処理を継続する旨の指示を操作パネル５８で受け付けたかどうか、つまり使用者が確認画面上で「継続」ボタンを選択（押下操作）したかどうかを判断する（ステップＳ３４）。このとき、使用者から一連の処理を継続する旨の指示を受け付けなかった、つまり使用者が確認画面上で「クリア」ボタンを選択（押下操作）した場合は、上記第１例の処理手順に含まれるステップＳ１７の処理に移行する。
【０１５０】
また、上記ステップＳ３４において、使用者から一連の処理を継続する旨の指示を受け付けると、制御部９０は、それをトリガとして「継続フラグ」をオンの状態に設定する。そして、原稿の被読み取り面を基に戻すための反転搬送を行なうように搬送部３７を制御する（ステップＳ３５）。原稿の反転搬送は、２回のスイッチバックを含む。具体的には次のような手順で行なう。
【０１５１】
まず、第１排出ロール２１を原稿排出時とは反対方向に回転させることにより、１回目のスイッチバックを行なう。そして、１回目のスイッチバックにより原稿を第２搬送路３２から第６搬送路に送り込む。なお、第１排出ロール２１の逆回転によって原稿をスイッチバックさせた場合は、当該原稿がゲートの切り替え等を要することなく第２搬送路３２から第６搬送路２６に導かれるようになっている。
【０１５２】
次に、制御部９０は、第２排出ロール２４によって原稿を第６搬送路３６から第４搬送路３４に送り込んだ後、第４搬送路３４でインバータロール２２およびインバータピンチロール２３により、２回目のスイッチバックを行なう。
【０１５３】
次に、制御部９０は、前述した反転搬送によって被読み取り面を元に戻した原稿を、レジロール１８の位置に再び送り込むための再搬送を行なうように搬送部３７を制御する（ステップＳ３６）。原稿の再搬送は、上記２回目のスイッチバックにより搬送された原稿の進路を、切り替えゲート４３により第５搬送路３５へと切り替えて、プレレジロール１７に向けて原稿を搬送することにより行なう。
【０１５４】
その後は、上記第１例の処理手順に含まれるステップＳ１０の処理に移行する。この場合は、「継続フラグ」がオンに設定された状態で、現在進行中の一連の処理が継続されるため、上記ステップＳ５の判定結果は肯定判定となる。また、上記ステップＳ３２で原稿の搬送を停止する前に当該原稿の画像を読取部７０で読み取った場合は、当該読み取った原稿の画像情報を、無効な画像情報としてＲＡＭ、ハードディスク等の画像蓄積部から消去する。
【０１５５】
以上の処理手順においては、原稿のスイッチバックを２回行なってから、原稿を第１搬送路３１に戻すため、テイクアウェイロール１６によって第１搬送路３１を搬送されるときの原稿の表裏の関係と、２回のスイッチバック後の再搬送によって第１搬送路３１を搬送されるときの原稿の表裏の関係は、同じ関係になる。
【０１５６】
＜画像読取処理の第３例＞
図１４は本発明の実施の形態に係る画像読取装置の処理手順の第３例を示すフローチャートである。この第３例の処理手順においては、上記第１例の処理手順と比較して、上記ステップＳ９で否定判定した後の処理手順が異なる。このため、図１４のフローチャートは、上記ステップＳ９で否定判定した後の処理手順を示している。
【０１５７】
まず、ステップＳ４１において、制御部９０は、原稿がレジ位置を過ぎているかどうかを判断する。ここでの判断基準は、上記ステップＳ１９と同様の判断基準を採用すればよい。ステップＳ４１で肯定判定した場合は、次のステップＳ４２に進み、ステップＳ４１で否定判定した場合は、上記第１例の処理手順に含まれるステップＳ１３の処理に移行する。
【０１５８】
ステップＳ４２において、制御部９０は、原稿の画像の読み取りを中止して、原稿の搬送を停止するように、読取部７０および搬送部３７を制御する（ステップＳ４２）。このとき、原稿の先端が読取位置に到達する前であれば、第２プラテンガラス７２Ｂ上で画像の読み取りを行なうことなく、原稿を通過させる。また、原稿の先端が読取位置に到達した後であれば、読取部７０による画像の読み取りを中断させる。また、原稿の搬送を停止させる処理は、原稿を排出トレイ４１に排出する前であれば、どのような段階で行なってもよい。
【０１５９】
例えば、上記ステップＳ４１で原稿がレジ位置を過ぎていると判断した段階で、直ちに原稿の搬送を停止させる処理を行なってもよい。また、第２プラテンガラス７２Ｂ上の読取位置を原稿が通過し終わった段階で、原稿の搬送を停止させる処理を行なってもよい。また、第１排出ロール２１で原稿を排出している途中の段階で、原稿の搬送を停止させる処理を行なってもよい。
【０１６０】
次に、制御部９０は、原稿長の不整合があっても、現在進行中の一連の処理を継続するか否かを使用者に確認するための確認画面を、上記表示パネル５９に表示するように制御する（ステップＳ４３）。確認画面としては、例えば、図１５に示すように、確認のためのメッセージとあわせて、「継続」ボタンと「クリア」ボタンを表示する。
【０１６１】
次に、制御部９０は、表示パネル５９に確認画面を表示した状態で、使用者から処理を継続する旨の指示を操作パネル５８で受け付けたかどうか、つまり使用者が確認画面上で「継続」ボタンを選択（押下操作）したかどうかを判断する（ステップＳ４４）。このとき、使用者から処理を継続する旨の指示を受け付けなかった、つまり使用者が確認画面上で「クリア」ボタンを選択（押下操作）した場合は、上記第１例の処理手順に含まれるステップＳ１７の処理に移行する。
【０１６２】
また、上記ステップＳ４４において、使用者から処理を継続する旨の指示を受け付けると、制御部９０は、それをトリガとして「継続フラグ」をオンの状態に設定する。そして、上記ステップＳ４２で停止させた原稿の搬送を再開するように搬送部３７を制御する（ステップＳ４５）。
【０１６３】
次に、制御部９０は、第１排出ロール２１で原稿を排出トレイ４０に排出するように搬送部３７を制御する（ステップＳ４６）。
【０１６４】
次に、制御部９０は、一連の処理を継続するための案内画面を表示パネル５９に表示するように制御する（ステップＳ４７）。案内画面としては、例えば、図１６に示すように、使用者に対して原稿の再セットを促すメッセージやその後の操作方法を促すメッセージを表示する。
【０１６５】
その後、制御部９０は、上記案内画面に表示された表示内容に基づく操作（本例ではスターボタンを押下する操作）が行なわれたかどうかを判断する（ステップＳ４８）。そして、スタートボタンが押下されたと判断すると、上記第１例の処理手順に含まれるステップＳ４の処理に移行する。この場合は、「継続フラグ」がオンに設定された状態で、現在進行中の一連の処理が継続されるため、上記ステップＳ５の判定結果は肯定判定となる。また、上記ステップＳ４２で原稿の搬送を停止する前に当該原稿の画像を読取部７０で読み取った場合、当該読み取った原稿の画像情報を、無効な画像情報としてＲＡＭ、ハードディスク等の画像蓄積部から消去する。
【０１６６】
＜変形例＞
上記実施の形態においては、原稿トレイ１１に置かれた原稿を搬送する際に適用する搬送モードとして、「通常モード」と「混載モード」を有するものとしたが、本発明はこれに限らず、「通常モード」のみを有するものにも適用可能である。
【０１６７】
また、上記実施の形態においては、上記ステップＳ１５又はステップＳ２３で「継続」が選択されたと判断した場合に、継続フラグをオンに設定し、以降はステップＳ５の判定結果が肯定判定となるようにしたが、本発明はこれに限らない。例えば、原稿幅の不整合が生じた場合と、原稿長の不整合が生じた場合で、それぞれ異なる継続フラグをオンに設定し、この設定を反映させて、以降の処理を行なってもよい。
【０１６８】
具体的には、例えば、原稿幅の不整合の発生に際して、上記ステップＳ１５で「継続」が選択されたと判断した場合は、第１の継続フラグをオンに設定する。また、原稿長の不整合の発生に際して、上記ステップＳ２３で「継続」が選択されたと判断した場合は、第１の継続フラグと異なる第２の継続フラグをオンに設定する。また、上記ステップＳ２３に代えて、上記ステップＳ３４又はステップＳ４４で「継続」が選択されたと判断した場合にも、第２の継続フラグをオンに設定する。そして、第１の継続フラグと第２の継続フラグが共にオンに設定されている場合は、上記ステップＳ６〜Ｓ９の処理をパスする。また、第１の継続フラグのみがオンに設定されている場合は、ステップＳ６、Ｓ７の処理をパスし、第２の継続フラグのみがオンに設定されている場合は、ステップＳ８、Ｓ９の処理をパスする。
【符号の説明】
【０１６９】
１０…画像読取装置、１１…原稿トレイ、３７…搬送部、５８…操作パネル、５９…表示パネル、７０…読取部、９０…制御部、１００…画像形成装置
【図１】
2011071592.tif 000004
【図２】
2011071592.tif 000005
【図３】
2011071592.tif 000006
【図４】
2011071592.tif 000007
【図５】
2011071592.tif 000008
【図６】
2011071592.tif 000009
【図７】
2011071592.tif 000010
【図８】
2011071592.tif 000011
【図９】
2011071592.tif 000012
【図１０】
2011071592.tif 000013
【図１１】
2011071592.tif 000014
【図１２】
2011071592.tif 000015
【図１３】
2011071592.tif 000016
【図１４】
2011071592.tif 000017
【図１５】
2011071592.tif 000018
【図１６】
2011071592.tif 000019